(57)【要約】【課題】  本発明は、片手で操作ができ、且簡単な構造として耐久性に優れた印鑑のキャップ装置を提供しようとするものである。【解決手段】  サヤの上端部に印鑑を設けて、印影部をキャップにより開閉自在としたものにおいて、サヤに設けたクリップに、バネにより左方に押圧するスライダーと、該スライダーの押圧力を上方の押圧力に変換する爪と、爪の上方への押圧力によって開閉自在としたキャップとよりなり、爪は上方に偏った偏心位置を軸承ししていてスライダーにより押圧されている押圧コーナ部と上方に押圧する作動部とよりなっており、キャップの基端部は回転自在なカムとなっていて、該カムは閉蓋面と中間面と円弧面と開蓋面とを有しており、閉蓋面は回転軸より右寄りコーナー部分か作動部に押当して閉蓋状態を維持し、バネの押圧力に抗して、キャップを押し上げる（開蓋する）ことにより中間面、円弧面が作動部に押されながら移動し、最後に開蓋面が作動部に押当して１８０度〜２４０度の開蓋状態を維持するようにした印鑑キャップ装置である。【選択図】  図１
2005161668.tif 000002
【特許請求の範囲】
【請求項１】
サヤの上端部に印鑑を設けて、印影部をキャップにより開閉自在としたものにおいて、サヤに設けたクリップに、バネにより左方に押圧するスライダーと、該スライダーの押圧力を上方の押圧力に変換する爪と、爪の上方への押圧力によって開閉自在としたキャップとよりなり、爪は上方に偏った偏心位置を軸承ししていてスライダーにより押圧されている押圧コーナ部と上方に押圧する作動部とよりなっており、キャップの基端部は回転自在なカムとなっていて、該カムは閉蓋面と中間面と円弧面と開蓋面とを有しており、閉蓋面は回転軸より右寄りコーナー部分か作動部に押当して閉蓋状態を維持し、バネの押圧力に抗して、キャップを押し上げる（開蓋する）ことにより中間面、円弧面が作動部に押されながら移動し、最後に開蓋面が作動部に押当して１８０度〜２４０度の開蓋状態を維持するようにした印鑑キャップ装置。
【発明の詳細な説明】
【技術分野】
【０００１】
本発明は印鑑付筆記具等のサヤに取り付ける印鑑のキャップ装置に関する。
【背景技術】
【０００２】
従来の印鑑付筆記具の印鑑のキャップとしては印鑑の使用毎に印鑑部分を覆うキャップを全部取り外して押捺するものとか、クリップに上下にスライドさせる操作部を設けて、この操作部のスライドに従ってキャップを開閉させるもの等がある。
【０００３】
然し乍前者にあっては両方の手を使ってキャップの開閉操作をしなければならない不便があり、又後者にあっては構造が複雑でコスト高となる。
【発明の開示】
【発明が解決しようとする課題】
【０００４】
そこで本発明は、片手で操作ができ、且簡単な構造として耐久性に優れた印鑑のキャップ装置を提供しようとするものである。
【課題を解決するための手段】
【０００５】
サヤの上端部に印鑑を設けて、印影部をキャップにより開閉自在としたものにおいて、サヤに設けたクリップに、バネにより左方に押圧するスライダーと、該スライダーの押圧力を上方の押圧力に変換する爪と、爪の上方への押圧力によって開閉自在としたキャップとよりなり、爪は上方に偏った偏心位置を軸承ししていてスライダーにより押圧されている押圧コーナ部と上方に押圧する作動部とよりなっており、キャップの基端部は回転自在なカムとなっていて、該カムは閉蓋面と中間面と円弧面と開蓋面とを有しており、閉蓋面は回転軸より右寄りコーナー部分か作動部に押当して閉蓋状態を維持し、バネの押圧力に抗して、キャップを押し上げる（開蓋する）ことにより中間面、円弧面が作動部に押されながら移動し、最後に開蓋面が作動部に押当して１８０度〜２４０度の開蓋状態を維持するようにした印鑑キャップ装置である。
【発明の効果】
【０００６】
本発明の効果として、印鑑のキャップの開閉を片手ででき、しかも簡単な構造で耐久性に富み安価に提供でき、しかも組立作業が迅速にできる。
【発明を実施する為の最良の形態】
【０００７】
サヤの上端部に印鑑を設けて、印影部をキャップにより開閉自在としたものにおいて、サヤに設けたクリップに、バネにより左方に押圧するスライダーと、該スライダーの押圧力を上方の押圧力に変換する爪と、爪の上方への押圧力によって開閉自在としたキャップとよりなり、爪は上方に偏った偏心位置を軸承ししていてスライダーにより押圧されている押圧コーナ部と上方に押圧する作動部とよりなっており、キャップの基端部は回転自在なカムとなっていて、該カムは閉蓋面と中間面と円弧面と開蓋面とを有しており、閉蓋面は回転軸より右寄りコーナー部分か作動部に押当して閉蓋状態を維持し、バネの押圧力に抗して、キャップを押し上げる（開蓋する）ことにより中間面、円弧面が作動部に押されながら移動し、最後に開蓋面が作動部に押当して１８０度〜２４０度の開蓋状態を維持するようにしたものである。
【実施例１】
【０００８】
筆記具等のサヤ５の上端部に印鑑７を設けて、印影部７’を後述のキャップ１により開閉自在としたものにおいて、サヤ５に一体として設けたクリップ５’に、バネ４により図面において左方に押圧するスライダー３と、該スライダー３の押圧力を上方の押圧力に変換する爪２と、爪２の上方への押圧力によって開閉自在としたキャップ１とよりなっている。図中６は化粧リング。１５はストッパーでキャップが所定角度に開くようになっている。尚クリップ５’はサヤ５とは別体としてつくり固定してもよい。
【０００９】
爪２は上方に偏った偏心位置をピン８によりクリップ５’に軸承していてスライダー３により押圧されている押圧コーナ部２’と上方に押圧する作動部２”とよりなっている。
【００１０】
キャップ１の基端部はクリップ５’の上端部寄りにピン９により軸承されて回転自在なカム１０となっていて、閉蓋面１１と中間面１２と円弧面１３と開蓋面１４とよりなっており、閉蓋面１１はピン９より右寄り位置のコーナ部１１’が作動部２”に押当して閉蓋状態を維持しており、バネ４の押圧力に抗して、キャップ１を押し上げる（図面では左方に回動する。）ことにより中間面１２で一休止し、更に押圧を続けることにより、円弧面１３が作動部２”に押されながら移動し、最後に開蓋面１４が作動部２”に押当して略２３０度の開蓋状態を維持するようにしてある。
【００１１】
１８０度以下の開蓋状態では押捺する位置が見難くなったり、又開蓋状態が２４０度を越えるようにすることは機構的に困難であり、好ましくは略２３０度の開蓋状態が好ましい。
【００１２】
本発明は以上のように構成されるもので、これを使用するには印影部７’に被さっているいるキャップ１の縁を指先でバネ４に抗して中間まで押し上げることにより、カム１０は作動部２”に押されながら閉蓋面１１のコーナ部１１、中間面１２、円弧面１３と移動し、最後に開蓋面１４が作動部２”に押当して略２３０度の開蓋状態を維持する。開蓋状態から閉蓋状態にするにはこの反対の操作をすればよい。
【産業上の利用可能性】
【００１３】
以上は印鑑付筆記具として印鑑のキャップ装置について説明してきたが、印鑑単独の「サヤ」に具現することもできる。
【図面の簡単な説明】
【００１４】
【図１】本発明に係る印鑑キャップ装置に断面説明図
【図２】キャップを開いた状態の断面説明図
【図３】キャップの拡大正面図
【符号の説明】
【００１５】
１：キャップ
２：爪
２’：押圧コーナ部
２”：作動部
３：スライダー
４：バネ 
５：サヤ
５’：クリップ
６：化粧リング
７：印鑑
７’：印影部
８：ピン
９：ピン
１０：カム
１１：閉蓋面
１２：中間面
１３：円弧面
１４：閉蓋面
１５：ストッパー
【図１】
2005161668.tif 000003
【図２】
2005161668.tif 000004
【図３】
2005161668.tif 000005